(57)【要約】【課題】携帯端末のメールアドレスの変更通知を便利かつ確実に行う【解決手段】通知先登録部７４は、旧携帯電話機のユーザがメールアドレスの変更を通知する相手のメールアドレスを登録し、これらの通知先アドドレスを含むメーリングリストを作成する。予約処理部７０は、旧携帯電話機からの、新メールアドレスの予約要求に応じて、新メールアドレスを作成して、メーリングリストとともに旧携帯電話機に通知する。変更通知部７６は、旧携帯電話機から送信されてきた、新メールアドレスが含まれた内容を有し、送信先がメーリングリストとなる変更通知メールを、メーリングリストに含まれた各通知先アドレスに転送する。新アドレス発行部８０は、新メールアドレスの発行を要求する新携帯電話機に対して、予約処理部７０により、この新携帯電話機に対応する旧携帯電話機に対して作成された新メールアドレスを発行する。【選択図】図２
2007286660.tif 000002
【特許請求の範囲】
【請求項１】
旧メールアドレスを有する予約携帯端末に対して、メールアドレスの変更を通知する相手のメールアドレスを登録するとともに、登録された各前記メールアドレスを含むメーリングリストを作成する通知先アドレス登録部と、
前記予約携帯端末からの、新メールアドレスの予約要求に応じて、新メールアドレスを作成し、該新メールアドレスと前記メーリングリスト名とを前記予約携帯端末に通知する予約処理部と、
前記予約処理部からの通知を受けた前記予約携帯端末から送信されてきた、前記メーリングリスト名を送信先アドレスとする変更通知メールを受信したときに、該変更通知メールを、前記メーリングリストに含まれた各メールアドレスに転送する変更通知部と、
新メールアドレスの発行を要求する発行要求携帯端末に対して、前記予約処理部により、該発行要求携帯端末に対応する前記予約携帯端末に対して作成された新メールアドレスを発行する新アドレス発行部と、
を備えたことを特徴とするアドレス管理装置。
【請求項２】
前記予約携帯端末と前記発行要求携帯端末は、異なる事業者の携帯端末であることを特徴とする請求項１に記載のアドレス管理装置。
【請求項３】
前記予約処理部は、新メールアドレスが含まれた内容を有し、返信先が前記メーリングリスト名に設定された変更通知雛形メールを前記予約携帯端末に送信することにより前記通知をすることを特徴とする請求項１または２に記載のアドレス管理装置。
【請求項４】
前記変更通知部は、前記転送が完了した際に、転送の完了を前記予約携帯端末に通知することを特徴とする請求項１から３のいずれか１項記載のアドレス管理装置。
【請求項５】
前記新アドレス発行部は、前記変更通知部による前記通知が完了した新メールアドレスのみを発行することを特徴とする請求項１から４のいずれか１項に記載のアドレス管理装置。
【発明の詳細な説明】
【技術分野】
【０００１】
本発明はアドレスを通知する技術、具体的には携帯電話機のメールアドレスの変更を通知する技術に関する。
【背景技術】
【０００２】
通常、新しい携帯電話機にメールアドレスを設定することは、契約した事業者の運用サーバにこの携帯電話機でアクセスして所望のメールアドレスを設定してダウンロードすることにより行われる。メールアドレスを変更する際においても同じであり、旧アドレスを有する携帯電話機で運用サーバにアクセスして新しいメールアドレスを設定してダウンロードすることにより旧アドレスを新アドレスに書き換える。
【０００３】
メールアドレスが変更されたことを他の人に通知する作業は繁雑であるため、この変更通知を便利にするためのさまざまな技術が提案されている。
【０００４】
特許文献１には、自身のメールアドレスと、このメールアドレスが変更されたときに通知したい相手のアドレス（以下通知先アドレスともいう）を記憶しておき、ユーザの設定などにより自身のメールアドレスが変更されたときに、そのことを検知して自動的に通知先アドレスに変更を知らせるメールを送信する携帯電話機が開示されている。このような携帯電話機によれば、ユーザが携帯電話機のメールアドレスを変更した際に、それに連動して変更通知が自動的に行われるため、同じ携帯電話機におけるメールアドレスの変更の通知が便利である。
【０００５】
特許文献２には、事業者のサーバが、ユーザから携帯電話機のメールアドレスを変更する要求を受けた際に、現在のメールアドレスを所望するアドレスに変更するとともに、新アドレス通知メールを作成してその携帯電話機に返送するシステムが開示されている。このシステムにおいて、サーバから返送された新アドレス通知メールのヘッダには、新アドレス通知に専用のステータスコードと、新旧メールアドレスが埋め込まれている。携帯電話機は、この新アドレス通知メールを受信すると、自身のメールアドレスを変更するとともに、新アドレス通知メールのヘッダに埋め込まれた新旧メールアドレスをヘッダに埋め込んだ変更通知メールを作成する。そして、この変更通知メールを、自身のメモリなどに予め登録された通知先アドレスに送信する。
【０００６】
この２つの技術は、利用する通信事業者が変らず、メールアドレスが変った場合の変更通知を便利にする手法である。
【０００７】
携帯電話市場において、料金体制やサービスなどが、通信事業者によって多種多様である。また、各事業者は、競争力を高め、ユーザを獲得するために、頻繁に料金体制やサービスの変更、改良を行っている。そのため、ユーザが現在利用している事業者から別の事業者への切替えが増えつつある。特に、ユーザが別の事業者に切り替えても、元の番号がそのまま使える番号ポータビリティが導入されると、携帯電話の加入者による事業者の切替えが急増することは予想される。
【０００８】
利用する事業者が変わると、メールアドレスアドレスも変わるため、メールアドレスの変更を知人などに通知する必要がある。これは、番号ポータビリティが導入された後においても同じである。
【０００９】
以下の説明において、ユーザが事業者を切り替える前と切り替えた後の携帯電話機をそれぞれ旧携帯電話機と新携帯電話機という。利用する事業者が変わると、携帯電話機も、メールアドレスも必然的に変わり、メールアドレスの変更通知をいかに便利にするかは、事業者の競争力に関わってくる。
【００１０】
特許文献３には、ユーザが事業者を切り替えた後のメールアドレスの変更通知を手助けするシステムが開示されている。このシステムは、変更通知用サーバにより、ユーザが知らせたい相手のメールアドレス（以下通知先アドレスともいう）に、ユーザのメールアドレスが変わったことを知らせる通知メールを送信する。通知先アドレスは、たとえばユーザの旧携帯電話機からダウンロードするなどによって取得する。
【００１１】
特許文献４にも、相似する仕組みのシステムが開示されている。
【特許文献１】特開２００４−２８２５８３号公報
【特許文献２】特開２００３−３２４４８１号公報
【特許文献３】特開２００５−１３６９２５号公報
【特許文献４】特開２００２−２７１５０８号公報
【発明の開示】
【発明が解決しようとする課題】
【００１２】
しかし、特許文献１に記載の携帯電話機によれば、通知先アドレスへ送信したメールの送信者アドレスは、変更後のアドレスとなり、受信側にとっては、知らないメールアドレスである。そのため、スパムメールなどの迷惑メールが多発している背景において、フィルタリング機能や、成りすまし防止機能が設けられた受信側の端末は、このような通知メールを削除してしまう可能性が大きい。結果として、知らせるべき相手にメールアドレスの変更を知らせることができないことが起こりうる。
【００１３】
特許文献２に記載のシステムは、変更通知メールのヘッダに旧アドレスを埋め込むことによって旧アドレスも受信側に知らせることを図るようにしている。しかし、この旧アドレスが、メールの送信者アドレスを示す部分（「ｆｒｏｍ：」の後の部分）に埋め込まれていると、成りすまし防止機能を有する受信側の端末は、人為的に送信者アドレスが改ざんされたと看做し、このメールを成りすましメールとして判別して削除してしまう。また、旧アドレスが、ヘッダに設けられた専用欄に埋め込まれると、このフォーマットに対応しない受信側の端末は、「ｆｒｏｍ：」の後の新しいアドレスしか分からないので、知らないアドレスからのメールとして削除してしまう可能性がある。
【００１４】
事業者の切替えに伴うアドレスの変更を通知する特許文献３および特許文献４に記載されたシステムでは、変更通知メールの送信者アドレスが、事業者を切り替えた後の新しいメールアドレスか、変更通知用サーバが管理している、変更通知用のメールアドレスになり、受信側にとっては、知らないメールアドレスである。フィルタリング機能や、成りすまし防止機能が設けられた受信側の端末において、通知メールが削除されてしまう可能性が大きい。
【課題を解決するための手段】
【００１５】
本発明の一つの態様はアドレス管理装置である。このアドレス管理装置は、通知先アドレス登録部と、予約処理部と、変更通知部と、新アドレス発行部とを備える。
【００１６】
通知先アドレス登録部は、旧メールアドレスを有する予約携帯端末に対して、メールアドレスの変更を通知する相手のメールアドレスを登録するとともに、登録された各前記メールアドレスを含むメーリングリストを作成する。予約処理部は、予約携帯端末からの、新メールアドレスの予約要求に応じて、新メールアドレスを作成し、この新メールアドレスと、この予約携帯端末に対して作成されたメーリングリスト名とを予約携帯端末に通知する。変更通知部は、予約処理部からの通知を受けた予約携帯端末から送信されてきた、メーリングリスト名を送信先アドレスとする変更通知メールを受信したときに、この変更通知メールを、メーリングリストに含まれた各メールアドレスに転送する。新アドレス発行部は、新メールアドレスの発行を要求する発行要求携帯端末に対して、予約処理部により、この発行要求携帯端末に対応する予約携帯端末に対して作成された新メールアドレスを発行する。
【発明の効果】
【００１７】
本発明にかかるアドレス管理装置によれば、携帯端末のメールアドレスの変更通知を便利かつ確実に行うことができる。
【発明を実施するための最良の形態】
【００１８】
以下、本発明を適用した具体的な実施の形態について、図面を参照しながら詳細に説明する。
【００１９】
図１は、本発明の実施の形態にかかる通信システムを示す。この通信システムにおいて、携帯電話の事業者が運営するアドレス管理サーバ１００、端末ここで例として携帯電話機１０、携帯電話機２０、携帯電話機３０、パーソナルコンピュータ（以下単にパソコンという）４０は公衆通信網５０を介して互いに通信可能に接続されている。
【００２０】
各携帯電話機は、自身のメールアドレスを記憶しており、メールを送信する際に、送信者アドレスがこの記憶されたメールアドレスとなる。なお、携帯電話機のメールアドレスは、契約した事業者によって異なる。
【００２１】
図２は、アドレス管理サーバ１００の構成を示す。アドレス管理サーバ１００は、予約処理部７０、通知先アドレス登録部７４、変更通知部７６、新アドレス発行部８０、データベース９０を有する。
【００２２】
図３は、データベース９０の構成を示す。データベース９０は、切替用データベース９２と、使用中アドレスデータベース９４を有する。切替用データベース９２は、携帯電話機を他の事業者からこの事業者に切り替える際のアドレス変更のためのデータベースであり、使用中アドレスデータベース９４は、この事業者と契約しており、既に使用が開始されている使用中のすべての携帯電話機のアドレスを記憶している。
【００２３】
以下、アドレス管理サーバ１００の他の各構成ブロックの詳細を説明しながら、データベース９０の詳細を説明する。
【００２４】
アドレス管理サーバ１００は、携帯電話機のユーザが、他の事業者からこの事業者に切り替える際に、新アドレスの発行、およびこれに伴うメールアドレスの変更をユーザが所望する通知先への通知を行う。ここで、この事業者をＢ社とし、ユーザが他の事業者（メールアドレスのドメイン名が「ａａａ．ｎｅ．ｊｐ」となるＡ社とする）の携帯電話機１０からＢ社（メールアドレスのドメイン名を「ｂｂｂ．ｎｅ．ｊｐ」とする）の携帯電話機２０への切替えに伴い、メールアドレスを「ＡＡＡ＠ａａａ．ｎｅ．ｊｐ」から「ＢＢＢ＠ｂｂｂ．ｎｅ．ｊｐ」に変更する場合を想定して説明する。なお、分かるやすくするために、以下携帯電話機１０と携帯電話機２０を、それぞれ旧携帯電話機と新携帯電話機という。
【００２５】
図４は、アドレス管理サーバ１００の処理を示すフローチャートである。アドレス管理サーバ１００の受付部６０は、アクセス要求を受け付け、アクセス要求の種類に応じた処理を、該当する処理部に行わせる（Ｓ１０）。
【００２６】
旧携帯電話機１０のユーザは、事業者を切り替えるために、まず、旧携帯電話機１０を用いて切替先の事業者が運営するアドレス管理サーバ１００にアクセスして、切り替えた後の新アドレスの予約を要求する。この要求は、たとえば受付部６０により提供したウェブページにおける「予約要求」と「新アドレス発行要求」を選択する画面において、「予約要求」を選択することにより行う。
【００２７】
アドレス管理サーバ１００の受付部６０は、この予約要求を受け付ける（Ｓ１０：１）と、通知先アドレス登録部７４に処理を移管する。通知先アドレス登録部７４は、旧携帯電話機１０のユーザに、メールアドレスの変更を通知したい相手のアドレス（以下通知先アドレスという）を入力させ、通知先登録を行う（Ｓ２０）。この登録は、具体的には、データベース９０の切替用データベース９２における「旧アドレス」欄に旧携帯電話機１０のアドレスの追加と、旧携帯電話機１０のユーザが入力した通知先アドレスの追加を含む。これによって、切替用データベース９２に、旧携帯電話機１０のユーザが入力した通知先アドレスは、旧携帯電話機１０のアドレス（ＡＡＡ＠ａａａ．ｎｅ．ｊｐ）に対応付けて記憶される。さらに、通知先アドレス登録部７４は、旧携帯電話機１０のユーザによりすべての通知先アドレスの入力が終了すると、これらの通知先アドレスを含むメーリングリストを作成し、作成したメーリングリストを示すアドレスを切替用データベース９２における、旧携帯電話機１０のアドレス（ＡＡＡ＠ａａａ．ｎｅ．ｊｐ）に対応する「メーリングリスト」欄に登録する。図３に示す例では、旧携帯電話機１０（アドレス：「ＡＡＡ＠ａａａ．ｎｅ．ｊｐ」）に対して、「ＥＥＥ＠ｂｂｂ．ｎｅ．ｊｐ」のメーリングリストが作成されている。
【００２８】
通知先アドレス登録部７４は、通知先の登録が完了すると、処理を予約処理部７０に移管し、予約処理部７０は、予約処理を行う（Ｓ３０）。
【００２９】
図５は、ステップＳ３０の予約処理の詳細を示すフローチャートである。予約処理部７０は、まず、旧携帯電話機１０のユーザに、事業者を切り替えた後に希望するアドレスを入力させる（Ｓ３２）。そして、入力されたアドレスが、使用中アドレスデータベース９４に記憶された使用中アドレス、および切替用データベース９２に記憶された新アドレス（その詳細については後述する）との重複があるか否かを確認する（Ｓ３４）。重複があれば、旧携帯電話機１０のユーザに希望するアドレスの入力を再入力させる（Ｓ３４：Ｙｅｓ）。一方、重複がなければ（Ｓ３４：Ｎｏ）、変更通知雛形メールを作成して旧携帯電話機１０に送信する（Ｓ３６）とともに、切替用データベース９２に登録をして（Ｓ３８）処理を終了する。
【００３０】
ここで、予約処理部７０は、変更通知雛形メールの返信先アドレス（メールのヘッダの「Ｒｅｐｌｙ  ｔｏ：」の後の部分に該当する）を、通知先登録部７４によりステップＳ２０において作成し、切替用データベース９２に登録したメーリングリストに設定する
ステップＳ３８において、予約処理部７０が具体的には、旧携帯電話機１０のユーザが入力したアドレスを新アドレスとして旧携帯電話機１０のアドレスに対応付けて登録するとともに、この新アドレスに対してユニークな予約番号を作成して登録する。
【００３１】
図３に示す例では、旧携帯電話機１０（アドレス：「ＡＡＡ＠ａａａ．ｎｅ．ｊｐ」）に対して、ユーザが入力した新アドレス「ＢＢＢ＠ｂｂｂ．ｎｅ．ｊｐ」が、旧携帯電話機１０のアドレスと対応付けて記憶されている。この新アドレスは、使用中アドレスデータベース９４に記憶された使用中アドレス、および切替用データベース９２に記憶された他の新アドレスとの重複がなく、旧携帯電話機１０のユーザが予約したアドレスとなる。また、図３に示すように、この予約に対して、予約番号１が付与されている。
【００３２】
なお、ここでユーザが新アドレスとして「ＢＢＢ＠ｂｂｂ．ｎｅ．ｊｐ」を入力するように説明したが、アドレス管理サーバ１００は通常Ｂ社により運営されることを考え、Ｂ社が「ｂｂｂ．ｎｅ．ｊｐ」のドメイン名のアドレスしか発行しないのであれば、ドメイン名部分すなわち「＠ｂｂｂ．ｎｅ．ｊｐ」の部分の入力を省略するようにしてもよい。
【００３３】
図６は、ステップＳ３６において、予約処理部７０が送信した変更通知雛形メールの内容の例を示す。図示のように、変更通知雛形メールは、旧携帯電話機１０のユーザが予約した新アドレスへの変更を通知する例文であり、ユーザはこのメールを参照して、変更を通知するメールを簡単に作成することができる。なお、変更通知雛形メールには、変更通知雛形メールを参照してメールを作成して返信するガイダンスも含まれている。
【００３４】
旧携帯電話機１０のユーザは、変更通知雛形メールの例文の編集（自分の名前の入力や、ガイダンスの削除など）をして、変更通知メールを作成し、作成した変更通知メールを返信することによりアドレス管理サーバ１００に返送する。この返信メールの送信先（メールのヘッダの「Ｔｏ：」の後の部分）は、通知先アドレス登録部７４によりステップＳ２０において作成し、切替用データベース９２に登録したメーリングリスト（ＥＥＥ＠ｂｂｂ．ｎｅ．ｊｐ）になる。
【００３５】
図４のフローチャートに戻り、アドレス管理サーバ１００の受付部６０は、返信されたこの変更通知メールを、アドレスの変更通知要求と看做し（Ｓ１０：２）、変更通知部７６に処理を移管し、変更通知部７６による変更通知処理が行われる（Ｓ５０）。
【００３６】
図７は、ステップＳ５０の変更通知処理の詳細を示すフローチャートである。変更通知部７６は、切替用データベース９２から、旧携帯電話機１０から返信されてきた変更通知メールの送信先のメーリングリスト（ＥＥＥ＠ｂｂｂ．ｎｅ．ｊｐ）に対応する通知先アドレスを検索し、これらの通知先アドレスに変更通知メールをそのまま転送する（Ｓ５４）。転送の完了をもって、変更通知部７６は、切替用データベース９２から旧携帯電話機１０のユーザが予約した新アドレス（ＢＢＢ＠ｂｂｂ．ｎｅ．ｊｐ）に対応する予約番号を検索し、この予約番号（ここの例では１）と、メールアドレスの変更通知が完了したことを示すメールを旧携帯電話機１０に送信して（Ｓ５６）、処理を終了する。
【００３７】
旧携帯電話機１０のユーザは、上記ステップＳ５６において変更通知部７６から送信されてきたメールを旧携帯電話機１０で受信し、メールアドレスの変更通知が完了したことを知り、新携帯電話機２０を用いてアドレス管理サーバ１００にアクセスして予約した新アドレスの発行を要求する。これも、たとえばアドレス管理サーバ１００が提供するウェブページの画面において「新アドレス発行要求」項目を選択することによって行われる。
【００３８】
図４のフローチャートに戻り、アドレス管理サーバ１００の受付部６０は、新携帯電話機２０からの新アドレス発行要求を受信する（Ｓ１０：３）と、処理を新アドレス発行部８０に移管し、新アドレス発行部８０による新アドレス発行処理（Ｓ７０）が行われる。
【００３９】
図８は、ステップＳ７０の新アドレス発行処理の詳細を示すフローチャートである。新アドレス発行部８０は、まず、新携帯電話機２０のユーザに新しいアドレスの予約番号を入力させて、切替用データベース９２に記憶された予約番号と照合する（Ｓ７２、Ｓ７４）。切替用データベース９２において、ユーザが入力された予約番号と一致するものがなければユーザに再入力させる（Ｓ７４：Ｎｏ、Ｓ７２）。
【００４０】
一方、ステップＳ７２において、ユーザが入力した予約番号と一致する予約番号が、切替用データベース９２にあれば（Ｓ７４：Ｙｅｓ）、新アドレス発行部８０は、切替用データベース９２に、この予約番号に対応する新アドレスを新携帯電話機２０に対して発行し、発行の完了をもって、データベース９０を更新する（Ｓ７６、Ｓ７８）。ここで、データベース９０の更新は、切替用データベース９２から、当該新アドレスを使用中アドレスとして使用中アドレスデータベース９４に移す処理と、この新アドレスに対応する各項目を切替用データベース９２から削除する処理を含む。
【００４１】
なお、ステップＳ７２において、予約番号とともに、新アドレスの入力もユーザにさせ、切替用データベース９２に、入力された予約番号と一致する予約番号があり、かつそれに対応する新アドレスが入力された新アドレスと同じであることを一致するか否かの判別条件にし、セキュリティを高めてもよい。
【００４２】
新アドレス発行部８０による新アドレス発行処理によって、新アドレスが新携帯電話機２０にダウンロードされ、新携帯電話機２０は、新アドレスを有することになる。
【００４３】
ここで、アドレスが「ＡＡＡ＠ａａａ．ｎｅ．ｊｐ」となるＡ社の携帯電話機（旧携帯電話機１０）を有するユーザが、Ｂ社の携帯電話機（新携帯電話機２０）に買い換えることを想定し、アドレスが「ＢＢＢ＠ｂｂｂ．ｎｅ．ｊｐ」に切り変わる場合を例にして、ユーザ側が行うことを含めて、システム全体の処理の流れを説明する。なお、従来の技術との違いを明確にするために、従来行われているメールアドレス変更通知の処理の一例を図１１に示し、比較しながら説明する。
【００４４】
図９に示すように、旧携帯電話機１０のユーザが、携帯電話の買替えにあたり、まず、旧携帯電話機１０を用いて、Ｂ社が運営するアドレス管理サーバ１００に新アドレスの予約を要求する（Ｓ１００）。この際、アドレス管理サーバ１００により提供されるウェブページにおいて、通知先アドレス、希望する新アドレス（ＢＢＢ＠ｂｂｂ．ｎｅ．ｊｐ）を設定する。
【００４５】
アドレス管理サーバ１００は、ステップＳ１００においてユーザが入力した全ての通知先アドレスを登録するとともに、これらの通知先アドレスを含むメーリングリスト（「ＥＥＥ＠ｂｂｂ．ｎｅ．ｊｐ」）を作成する（Ｓ１０２）。さらに、アドレス管理サーバ１００は、ユーザが予約した新アドレス（ＢＢＢ＠ｂｂｂ．ｎｅ．ｊｐ）も登録し、この新アドレスに対して予約番号を付与する（Ｓ１０４）。
【００４６】
そして、アドレス管理サーバ１００は、変更通知雛形メールを作成して、旧携帯電話機１０に送信する（Ｓ１０６）。この変更通知雛形メールは、本文には予約した新アドレスが含まれており、ヘッダにある返信先のアドレスとして、メーリングリスト（「ＥＥＥ＠ｂｂｂ．ｎｅ．ｊｐ」）が設定されている。
【００４７】
旧携帯電話機１０のユーザは、旧携帯電話機１０で変更通知雛形メールを受信し、その本文の内容を必要に応じて編集して得た変更通知メールを返信する（Ｓ１１０）。この変更通知メールの送信先は、変更通知雛形メールのヘッダに設定された返信先アドレスのメーリングリスト（「ＥＥＥ＠ｂｂｂ．ｎｅ．ｊｐ」）となる。
【００４８】
アドレス管理サーバ１００は、ユーザが旧携帯電話機１０から返信した変更通知メールを受信し、メーリングリストに含まれた各通知先アドレスにこのメールを転送する（Ｓ１１４）。
【００４９】
各通知先アドレスを有する端末（図示の例ではパソコン４０や、携帯電話機３０）は、アドレス管理サーバ１００から転送された変更通知メールを受信する（Ｓ１２０）。この変更通知メールの送信者アドレスは、通知先の各端末が既知の、携帯電話機１０のアドレス（「ＡＡＡ＠ａａａ．ｎｅ．ｊｐ」）であり、かつヘッダ部分の加工がされていないので、通知先の各端末において削除されることがない。
【００５０】
アドレス管理サーバ１００は、変更通知メールの転送の完了をもって、旧携帯電話機１０に、転送が完了したことと、ステップＳ１０４において作成した予約番号とを知らせるメールを送信する（Ｓ１３０）。
【００５１】
旧携帯電話機１０のユーザは、ステップＳ１３０においてアドレス管理サーバ１００から送信されてきたメールで、メールアドレスの変更通知が完了したことと、新アドレスの予約番号を知る（Ｓ１３４）。
【００５２】
そして、ユーザは、携帯電話機を買い替え、Ｂ社の携帯電話機２０を新携帯電話機として入手する（Ｓ１４０）。
【００５３】
ユーザは、新携帯電話機２０を用いて、アドレス管理サーバ１００にアクセスし、ステップＳ１３４において通知された予約番号を入力することによって新アドレスの発行を要求し、アドレス管理サーバ１００は、この要求に応じて、ユーザが提供した予約番号に対応し、ステップＳ１００において予約された新アドレス（ＢＢＢ＠ｂｂｂ．ｎｅ．ｊｐ）を発行する。これにより、新携帯電話機２０は、新アドレス（ＢＢＢ＠ｂｂｂ．ｎｅ．ｊｐ）を取得する（Ｓ１４２、Ｓ１４４）。
【００５４】
ここで、図１１に示す従来のシステムの処理の例を比較してみる。ここでも、アドレスが「ＡＡＡ＠ａａａ．ｎｅ．ｊｐ」となるＡ社の携帯電話機（旧携帯電話機１０）を有するユーザが、Ｂ社の携帯電話機（新携帯電話機２０）に買い換えることを想定し、アドレスが「ＢＢＢ＠ｂｂｂ．ｎｅ．ｊｐ」に切り変わる場合を例にして説明する。なお、分かりやすくするために、旧携帯電話機、新携帯電話機、通知先の携帯電話機およびパソコンに対して、図１に示す旧携帯電話機１０、新携帯電話機２０、通知先の携帯電話機３０およびパソコン４０と同じ符号を使用し、図１に示すアドレス管理サーバ１００に対応するサーバを運用サーバ２００にして説明する。
【００５５】
図１１に示すように、旧携帯電話機１０のユーザが、Ａ社からＢ社への切替えにあたり、まず、携帯電話機を買い換えて、Ｂ社の携帯電話機２０を新携帯電話機として取得する（Ｓ２００）。
【００５６】
そして、ユーザは、新携帯電話機２０を用いてＢ社が運営する運用サーバ２００にアクセスし、新アドレス「ＢＢＢ＠ｂｂｂ．ｎｅ．ｊｐ」を取得する（Ｓ２０２）。
【００５７】
Ｂ社の運用サーバ２００は、新アドレスを発行する（Ｓ２０４）とともに、ユーザによるアドレス変更通知の要求があれば、ユーザに通知先アドレスを設定させる（Ｓ２０６、Ｓ２０８）。そして、設定された通知先アドレスへの変更通知メールを送信する指示（たとえばウェブページに設けられた「送信許可」ボタンの押下など）がユーザによりなされれば（Ｓ２１０）、通知先アドレスへ変更通知メールを送信する（Ｓ２１２）。
【００５８】
通知先アドレスの各端末は、Ｂ社の運用サーバ２００から送信されてきた変更通知メールを受信する（Ｓ２２０）。
【００５９】
運用サーバ２００は、変更通知メールの送信が完了すれば、これを示すメールを新携帯電話機２０に送信して通知し（Ｓ２３０）、ユーザがこのメールを受信することをもって、変更通知が行われたことを知る（Ｓ２３４）。
【００６０】
ところで、通知先アドレスの各端末が受信した変更通知メールの送信者アドレスは、この場合、Ｂ社の運用サーバ２００が変更通知メールの送信用として用意しているアドレスとなる。このアドレスは、通知先アドレスの各端末にとって未知のアドレスであるため、迷惑メールとして削除される可能性が大きい。
【００６１】
また、たとえば、運用サーバ２００が、アドレス管理サーバ１００と同じように、通知先アドレスをまとめたメーリングリストを作成し、返信先をこのメーリングリストに設定した変更通知雛形メールを新携帯電話機２０に送信し、それをもって新携帯電話機２０から返信されてきた変更通知メールを通知先アドレスの各端末に送信するようにしたとしても、各端末が受信した変更通知メールの送信者アドレスが、新携帯電話機２０のアドレスＢＢＢ＠ｂｂｂ．ｎｅ．ｊｐとなるため、同じく未知のアドレスである。
【００６２】
さらに、運用サーバ２００が、新携帯電話機２０から返信されてきた変更通知メールを加工し、送信者アドレスを、旧携帯電話機１０のアドレスに変更した場合、通知先の各端末が受信したメールは、ヘッダの改竄があったため、なりすましメールとして削除される恐れがある。
【００６３】
以上の説明から分かるように、図１に示す本実施形態の通信システムにおけるアドレス管理サーバ１００によれば、ユーザの旧携帯電話機１０からの変更通知メールを、送信者アドレスが旧携帯電話機１０のアドレスのままで通知先アドレスに転送しているので、通知先アドレスの端末が受信した変更通知メールの送信者アドレスは、ユーザの旧携帯電話機１０のアドレスである。これはメーリングリスト機能を利用して実現しているので、旧携帯電話機１０からの変更通知メールのヘッダにおける送信者アドレスの部分を加工していない。そのため、なりすまし機能や、フィルタリング機能などを有する通知先アドレスの端末においても、変更通知メールが削除されることを防ぐことができる。それによって、利用する事業者の切替えにともなうメールアドレスの変更通知を便利かつ確実に行うことができる。
【００６４】
また、たとえばユーザが携帯電話機を買い替える際に、新携帯電話機を購入して新アドレスを取得した後でも、旧携帯電話機を保持しておけば、新アドレスを知った時点において旧携帯電話機で新アドレスを通知するメールを各通知先アドレスに送信し、ユーザ自身の運用によって、旧アドレスで変更通知メールを送信することを実現することが考えられる。この場合、ユーザによる操作が繁雑であるとともに、ユーザは２台の携帯電話機を同時に所有することが必要である。それに対して、本実施の形態によれば、ユーザが新携帯電話機を取得する前に新アドレスの予約を可能にしたことによって、ユーザが２つの携帯電話機を持つ期間が無くても、旧アドレスからの変更通知メールの送信を実現している。これは、特に番号ポータビリティが導入された後において大きな利益をもたらす。番号ポータビリティの導入後、携帯電話機を買い換えても、携帯の電話番号が変らないので、旧携帯電話機と新携帯電話機が同じ番号を有し、かつ２つとも使える状態にあることができないと想定できる。そのため、新アドレスを取得するまで旧携帯電話機を維持することによって、変更通知メールを旧アドレスで送信することもできなくなる。
【００６５】
本発明にかかるアドレス管理装置は、事業者の切替え時のメールアドレスの変更通知にのみならず、ユーザ自身の都合などにより、同じ事業者の携帯電話機のメールアドレスを変更する際の変更通知にも適用することができる。この場合において、たとえば、図１０に示すデータベースを用いることが考えられる。携帯電話機のユーザが、アドレス変更を行うのにあたり、まず、新アドレスの予約、通知先アドレスの登録をする。アドレス管理装置は、上述したアドレス管理サーバ１００と同じように、予約した新アドレスが含まれた内容の通知変更雛形メールをその携帯電話機に送信し、これに対する返信メールをそのまま通知先アドレスに転送する。転送の完了をもって、予約番号および転送完了を示すメールをこの携帯電話機に送信する。ユーザが転送完了を示すメールを受信した後、アドレス管理装置にアクセスし、予約番号を入力して新アドレスの発行を要求する。そして、その要求に応じてアドレス管理装置から発行された新アドレスをダウンロードすることによって、携帯電話機の旧アドレスを新アドレスに書き換える。このようなシステムによれば、同じ事業者の携帯電話機におけるメールアドレスの変更通知を確実かつ便利にすることができる。
【００６６】
以上、実施の形態をもとに本発明を説明した。実施の形態は例示であり、本発明の主旨から逸脱しない限り、さまざまな変更、増減を加えてもよい。これらの変更、増減が加えられた変形例も本発明の範囲にあることは当業者に理解されるところである。
【００６７】
たとえば、アドレス管理サーバ１００は、事業者の切替えに起因するメールアドレスの変更の通知にかかわる処理を行うものであるが、事業者の切替えに起因するメールアドレスの変更の通知と、同じ事業者の携帯電話機（機種変更の有無を問わない）でのメールアドレスの変更の通知とにかかわる処理を一環にして行ってもよい。その際、自社の携帯電話機に対して、使用中アドレスデータベース９４における旧アドレスが使用中アドレスデータベース９４にも含まれ、他社から乗り換えるユーザの携帯電話機の旧アドレスが他社から付与されたメールアドレスであり、使用中アドレスデータベース９４に含まれません。
【００６８】
また、この場合、変更通知メールの転送が完了した後でも、通知先アドレスの削除をしないことが好ましい。そうすることによって、新アドレスを取得したユーザが、再度アドレスの変更を行う際に、通信先アドレスの登録をしないで済むため、効率が良い。
【００６９】
もちろん、登録後の通知先アドレスは、ユーザによって編集可能にしてもよい。
【図面の簡単な説明】
【００７０】
【図１】本発明の実施の形態にかかる通信システムを示す図である。
【図２】図１に示す通信システムにおけるアドレス管理サーバの構成を示す図である。
【図３】図２に示すアドレス管理サーバにおけるデータベースを示す図である。
【図４】図２に示すアドレス管理サーバの処理を示すフローチャートである。
【図５】図２に示すアドレス管理サーバにおける予約処理部の処理を示すフローチャートである。
【図６】図２に示すアドレス管理サーバにおける予約処理部が旧携帯電話機に送信した変更通知雛形メールの内容を示す図である。
【図７】図２に示すアドレス管理サーバにおける変更通知部の処理を示すフローチャートである。
【図８】図２にアドレス管理サーバにおける新アドレス発行部の処理を示すフローチャートである。
【図９】図１に示す通信システムの全体の処理の流れを示す図である。
【図１０】本発明の他の実施の形態に使用可能なデータベースの例を示す図である。
【図１１】従来のシステムの処理の流れの例を示す図である。
【符号の説明】
【００７１】
１０  旧携帯電話機  ２０  新携帯電話機
３０  携帯電話機  ４０  パソコン
５０  公衆通信網  ６０  受付部
７０  予約処理部  ７４  通知先アドレス登録部
７６  変更通知部  ８０  新アドレス発行部
９０  データベース  ９２  切替用データベース
９４  使用中アドレスデータベース  １００  アドレス管理サーバ
２００  運用サーバ
【図１】
2007286660.tif 000003
【図２】
2007286660.tif 000004
【図３】
2007286660.tif 000005
【図４】
2007286660.tif 000006
【図５】
2007286660.tif 000007
【図６】
2007286660.tif 000008
【図７】
2007286660.tif 000009
【図８】
2007286660.tif 000010
【図９】
2007286660.tif 000011
【図１０】
2007286660.tif 000012
【図１１】
2007286660.tif 000013